(57)【要約】【課題】複数の通信機能を備える通信装置に置いて、ユーザーが意図する通信機能を使用することを可能にした通信装置を提供すること。【解決手段】外部機器と通信するための複数の通信手段と、前記複数の通信手段のうち外部機器と接続している通信手段を検出する検出手段と、前記複数の通信手段のうちいずれか一つを使用して、外部機器と論理接続を行うこと判断する判断手段と、を備える通信装置において、前記判断手段は、前記複数の通信手段のうち、前記検出手段により他の前記通信手段による論理接続が検出されるか否かに応じて、前記通信手段の論理接続を行うか否かを判断することを特徴とする。【選択図】図２
2017085212.tif 000002
【特許請求の範囲】
【請求項１】
外部機器と通信するための複数の通信手段（１１７、１１８、１２９）と、
前記複数の通信手段のうち外部機器（１３７、１３８、１３９）と接続している通信手段を検出する検出手段（１２３）と、
前記複数の通信手段（１１７、１１８、１２９）のうちいずれか一つを使用して、
外部機器（１３７、１３８、１３９）と論理接続を行うこと判断する判断手段（１２３）と、
を備える通信装置（１００）において、
前記判断手段（１２３）は、
前記複数の通信手段（１１７、１１８、１２９）のうち、
前記検出手段（１２３）により他の前記通信手段（１１７、１１８、１２９）による論理接続が検出されるか否かに応じて、
前記通信手段（１１７、１１８、１２９）の論理接続を行うか否かを判断することを特徴とする通信装置（１００）。
【請求項２】
前記複数の通信手段（１１７、１１８、１２９）は、
ＵＳＢ、ＨＤＭＩ、有線ＬＡＮ、無線ＬＡＮ、Ｂｌｕｅｔｏｏｔｈであること特徴とする
請求項１に記載の通信装置（１００）。
【請求項３】
前記複数の通信手段（１１７、１１８、１２９）のうち、
ＵＳＢ、ＨＤＭＩ、有線ＬＡＮ、無線ＬＡＮは、
前記検出手段（１２３）により、
前記他の通信手段（１１７、１１８、１２９）の論理接続が検出されていなければ、
前記判断手段（１２３）により論理接続を行うことを特徴とする請求項１に記載の通信装置（１００）。
【請求項４】
前記複数の通信手段（１１７、１１８、１２９）のうち、
Ｂｌｕｔｏｏｔｈは、
前記検出手段（１２３）により、
前記他の通信手段（１１７、１１８、１２９）の論理接続が検出されたら、
前記判断手段（１２３）により論理接続を行わないことを特徴とする請求項１に記載の通信装置（１００）。
【請求項５】
前記判断手段（１２３）により、
前記通信手段（１１７、１１８、１２９）のうち一つの論理接続を行ったら、
接続を行っていない前記通信手段（１１７、１１８、１２９）の設定変更を禁止する設定変更禁止手段（１２３）をさらに備えることを特徴とする請求項１に記載の通信装置（１００）。
【請求項６】
外部機器と通信するための複数の通信手段（１１７、１１８、１２９）と、
前記複数の通信手段のうち外部機器（１３７、１３８、１３９）と接続している通信手段を検出する検出手段（１２３）と、
前記複数の通信手段（１１７、１１８、１２９）のうちいずれか一つを使用して、
外部機器（１３７、１３８、１３９）と論理接続を行うこと判断する判断手段（１２３）と、
を備える通信装置（１００）において、
前記判断手段（１２３）は、
前記複数の通信手段（１１７、１１８、１２９）のうち、
前記検出手段（１２３）により複数の論理接続が検出された場合、
いずれか一つの接続設定が保存されているか否かに応じて、
前記通信手段（１１７、１１８、１２９）の論理接続を行うか否かを判断することを特徴とする通信装置（１００）。
【請求項７】
前記複数の通信手段（１１７、１１８、１２９）のうち、
無線ＬＡＮ、Ｂｌｕｅｔｏｏｔｈは、
接続設定が保存されている場合、
前記判断手段（１２３）により他の前記複数の通信手段（１１７、１１８、１２９）の論理接続を行わないことを特徴とする請求項６に記載の通信装置（１００）。
【発明の詳細な説明】
【技術分野】
【０００１】
本発明は、通信装置及びその制御方法に関し、特に外部装置との通信を行う撮像装置及びその制御方法に関する。
【背景技術】
【０００２】
通信機能を有する撮像装置と外部装置を有線接続して、外部装置から撮像装置を制御し、画像表示や撮像装置の制御を行うシステムは以前から提案されている。近年、無線接続環境の普及により、外部装置と無線接続でも同様のシステムを使用したいという要望が高まっている。
【０００３】
一方、複数の通信機能を有する撮像装置において、複数の通信機能を用いて同時に接続を行うと、通信が正しく行われない可能性がある。そのため、ユーザーが選択したいずれか一つの通信機能を使用して、外部装置と通信を行う必要がある。
【０００４】
特許文献１には、複数の接続が行われている状態が検出された場合、1つのみの接続状態が検出されるまですべての接続を待機させることが開示されている。特許文献２には、複数の接続が行われている状態が検出された場合、あらかじめ定められた優先順位に基づいて１つの接続を行うこと開示されている。
【先行技術文献】
【特許文献】
【０００５】
【特許文献１】特開２００９−１５２９６９号公報
【特許文献２】特開２００９−４８３０９号公報
【発明の概要】
【発明が解決しようとする課題】
【０００６】
しかしながら、上述の特許文献に開示された従来技術では、ユーザーが意図した通信機能が即座に使用できないという問題がある。
【０００７】
そこで、本発明の目的は、複数の通信機能のうちユーザーが意図する通信機能を使用することを可能にした通信装置を提供することである。
【課題を解決するための手段】
【０００８】
上記の目的を達成するために、本発明に係る通信装置は、
外部機器と通信するための複数の通信手段と、前記複数の通信手段のうち外部機器と接続している通信手段を検出する検出手段と、前記複数の通信手段のうちいずれか一つを使用して、外部機器と論理接続を行うこと判断する判断手段と、を備える通信装置において、前記判断手段は、前記複数の通信手段のうち、前記検出手段により他の前記通信手段による論理接続が検出されるか否かに応じて、前記通信手段の論理接続を行うか否かを判断することを特徴とする。
【発明の効果】
【０００９】
本発明によれば、複数の通信機能のうちユーザーが意図する通信機能を使用することを可能にした通信装置を提供することができる。
【図面の簡単な説明】
【００１０】
【図１】本発明の実施形態に係る撮像装置の構成例を示す図である。
【図２】本発明の第１の実施例に係る接続例を説明するフローチャートである。
【図３】本発明の第１の実施例に係るＧＵＩ（グラフィカルユーザーインタフェース）の例を示す図である。
【図４】本発明の第２の実施例に係る接続例を説明するフローチャートである。
【図５】本発明の第３の実施例に係る接続例を説明するフローチャートである。
【図６】本発明の第４の実施例に係る接続例を説明するフローチャートである。
【図７】本発明の第５の実施例に係る接続例を説明するフローチャートである。
【図８】本発明の第６の実施例に係る接続例を説明するフローチャートである。
【図９】本発明の第７の実施例に係る接続例を説明するフローチャートである。
【図１０】本発明の第８の実施例に係る接続例を説明するフローチャートである。
【発明を実施するための形態】
【００１１】
以下に、本発明の好ましい実施の形態を、添付の図面に基づいて詳細に説明する。図１は本発明の一実施形態に係わる通信装置である撮像装置１００の構成を示すブロック図である。
【００１２】
図１において、１０１は撮影レンズである。１０２はＡＦ（オートフォーカス）駆動部である。ＡＦ駆動部１０２は、例えばＤＣモータやステッピングモータによって構成され、マイクロコンピュータ１２３の制御によって撮影レンズ１０１のフォーカスレンズ位置を変化させることによりピントを合わせる。
【００１３】
１０３はズーム駆動部である。ズーム駆動部１０３は、例えばＤＣモータやステッピングモータによって構成され、マイクロコンピュータ１２３の制御によって撮影レンズ１０１の変倍レンズ位置を変化させることにより撮影レンズ１０１の焦点距離を変化させる。１０４は絞りである。
【００１４】
１０５は絞り駆動部である。絞り駆動部１０５は、絞り１０４を駆動する。駆動されるべき量はマイクロコンピュータ１２３によって算出され、光学的な絞り値を変化させる。
【００１５】
１０６は撮影レンズ１０１から入射した光束をファインダー側と撮像素子側とに切替えるための主ミラーである。主ミラー１０６は常時はファインダー部へと光束を導くよう反射させるように配されているが、撮影が行われる場合には、撮像素子１２２へと光束を導くように上方に跳ね上がり光束中から待避する。また主ミラー１０６はその中央部が光の一部を透過できるようにハーフミラーとなっており、光束の一部を焦点検出を行うためのセンサに入射するように透過させる。
【００１６】
１０７は主ミラー１０６から透過してきた光束を反射させ焦点検出を行うためのセンサ（焦点検出回路１０９内に配置されている）に導くためのサブミラーである。１０８はファインダーを構成するペンタプリズムである。ファインダーは他にピント板、アイピースレンズ（不図示）などによって構成させる。１０９は焦点検出回路である。ミラー１０６の中央部を透過し、サブミラー１０７で反射された光束は、焦点検出回路１０９の内部に配置された光電変換を行うためのセンサに至る。フォーカス演算に用いるデフォーカス量は、センサの出力を演算することによって求められる。マイクロコンピュータ１２３は演算結果を評価してＡＦ駆動部１０２に指示し、フォーカスレンズを駆動させる。
【００１７】
１１０はフォーカルプレーンシャッタである。１１１はシャッタ駆動回路であり、フォーカルプレーンシャッタ１１０を駆動する。シャッタの開口時間はマイクロコンピュータ１２３によって、制御される。１１２は撮像素子である。撮像素子１１２には、ＣＣＤやＣＭＯＳセンサなどが用いられ、撮影レンズ１０１によって結像された被写体像を電気信号に変換する。
【００１８】
１１３はクランプ回路である。１１４はＡＧＣ回路である。クランプ回路１１３やＡＧＣ回路１１４は、Ａ／Ｄ変換をする前の基本的なアナログ信号処理を行い、マイクロコンピュータ１２３により、クランプレベルやＡＧＣ基準レベルの変更が行われる。１１５はＡ／Ｄ変換器である。Ａ／Ｄ変換器１１５は撮像素子１１２のアナログ出力信号をデジタル信号に変換する。１１６は映像信号処理回路であり、ゲートアレイなどのロジックデバイスにより実現される。
【００１９】
１１７、１１８はＵＳＢ、ＬＡＮ、Ｂｌｕｅｔｏｏｔｈ（登録商標）等に代表される外部通信機器１３７、１３８と接続可能な通信インタフェースである。図１においては、２つの通信インタフェースを有しているが、２つ以上であればいくつでもよい。１３７、１３８はコンピュータや携帯電話・携帯情報端末やプリンタに代表される外部通信機器である。通信インタフェース１１７、１１８を介してカメラの各種情報や画像データの送受信の相手となる。１１９はメモリコントローラである。１２０はメモリである。１２２はバッファメモリである。
【００２０】
映像信号処理回路１１６は、デジタル化された画像データに、フィルター処理、色変換処理、ガンマ処理を行うと共に、ＪＰＥＧなどの圧縮処理を行い、メモリコントローラ１１９に出力する。映像信号処理回路１１６は、マイク１３２、または、音声ライン入力１３３からの音声信号の圧縮処理を行い、メモリコントローラ１１９に出力する。映像信号処理回路１１６は、撮像素子１１２からの映像信号や、メモリコントローラ１１９から逆に入力される画像データを、表示駆動回路１２１を通して主表示部材１２７、副表示部材１２８、外部表示機器１３９に出力することも可能である。
【００２１】
これらの機能切り替えはマイクロコンピュータ１２３の指示により行われる。映像信号処理回路１１６は、必要に応じて撮像素子１１２の信号の露出情報やホワイトバランスなどの情報をマイクロコンピュータ１２３に出力することが可能である。それらの情報を基にマイクロコンピュータ１２３はホワイトバランスやゲイン調整の指示を行う。連続撮影動作の場合においては、一旦、未処理画像のままバッファメモリ１２２に撮影データを格納し、メモリコントローラ１１９を通して未処理の画像データを読み出し、映像信号処理回路１１６にて画像処理や圧縮処理を行い、連続撮影を行う。
【００２２】
映像信号処理回路１１６は、マイク１３２、または、音声ライン入力１３３からの音声データを、ＤＡ変換１３５を通してスピーカー１３６に出力することも可能である。
メモリコントローラ１１９では、映像信号処理回路１１６から入力された未処理のデジタル画像・音声データをバッファメモリに格納し、処理済みのデジタル画像・音声データをメモリ１２０に格納する。また、逆にバッファメモリ１２２やメモリ１２０から画像・音声データを映像信号処理回路部１１６に出力する。メモリ１２０は取り外し可能である場合もある。メモリコントローラ１１９は、通信インタフェース１１７、１１８を介してメモリ１２０に記憶されている画像・音声を出力可能である。
【００２３】
１２３はマイクロコンピュータである。１２４は操作部材である。操作部材１２４は、マイクロコンピュータ１２３にその状態を伝え、マイクロコンピュータ１２３はその操作部材の変化に応じて各部をコントロールする。
【００２４】
１２５はスイッチ１（以後ＳＷ１）である。１２６はスイッチ２（以後ＳＷ２）である。スイッチＳＷ１とスイッチＳＷ２は、レリーズボタンの操作でオンオフするスイッチであり、それぞれ操作部材１２４の入力スイッチのうちの１つである。スイッチＳＷ１のみオンの状態はレリーズボタン半押し状態であり、この状態でオートフォーカスの動作や測光動作を行う。スイッチＳＷ１，ＳＷ２が共にオンの状態はレリーズボタンの全押し状態であり、画像を記録するためのレリーズボタンオン状態である。この状態で撮影が行われる。
【００２５】
またスイッチＳＷ１，ＳＷ２がＯＮし続けている間は、連続撮影動作が行われる。操作部材１２４には、他に、ＩＳＯ設定ボタン、画像サイズ設定ボタン、画質設定ボタン、情報表示ボタンなど不図示のスイッチが接続されており、スイッチの状態が検出されている。
【００２６】
１２１は表示駆動回路である。１２７は主表示部材である。１２８は副表示部材である。１２９は外部表示機器１３９と接続可能な通信インタフェースである。１３９はディスプレイ等に代表される外部表示機器である。表示駆動回路１２１は、マイクロコンピュータ１２３の表示内容命令に従って、主表示部材１２７や副表示部材１２８を駆動する。また、副表示部材１２８には、不図示のＬＥＤなどのバックライトが配置されており、そのＬＥＤも表示駆動回路１２１で駆動される。マイクロコンピュータ１２３は撮影前に設定されている撮影情報（絞り、シャッタースピード、ＩＳＯ感度等）や無線通信設定等を必要に応じて主表示部材１２７、副表示部材１２８、外部表示機器１３９にも表示することができる。
【００２７】
１３０は不揮発性メモリ（ＥＥＰＲＯＭ）で、カメラに電源が入れられていない状態でも、データを保持することができる。１３１は電源部である。電源部１３１は、各ＩＣや駆動系に必要な電源を供給する。１３２はマイクである。１３３は音声のライン入力である。１３４はＡ／Ｄ変換器である。Ａ／Ｄ変換器１３３はマイク１３２、または、音声ライン入力１３３のアナログ出力信号をデジタル信号に変換する。１３５はＤ／Ａ変換器である。Ｄ／Ａ変換器はデジタル信号をアナログ出力信号に変換する。
１３６スピーカーである。
【００２８】
＜実施例１＞
以下、本発明の第1の実施例について説明する。
【００２９】
図２（ａ）は本実施例に係るシステムの構成例を示す図である。
【００３０】
外部通信機器１３７、１３８は有線または無線のいずれかの手段で通信インタフェース１１７、１１８を介して撮像装置１００と接続し、撮像装置１００の制御を行う。撮像装置１００は、外部通信機器１３７または１３８のいずれかひとつから制御される。本実施形態における撮像装置１００と外部通信機器１３７は通信インタフェース１１７を介して、ＷｉＦｉにより無線通信で接続するものとする。撮像装置１００と外部通信機器１３８は通信インタフェース１１８を介して、ＵＳＢにより有線通信で接続するものとする。
【００３１】
図２（ｂ）を参照して、本実施例に係る撮像装置１００と外部通信機器１３７、１３８との接続のフローチャートについて説明する。ステップＳ２００で撮像装置１００は外部通信機器１３７、１３８と接続処理を開始する。ステップＳ２０１では、マイクロコンピュータ１２３は操作部材１２４により、ＷｉＦｉ機能を使用する設定が行われているかを判定し、Ｓ２０２、Ｓ２１２へ進む。
【００３２】
ここで、図３（ａ）は本実施形態に係るユーザーインタフェースの一例を示す図であり、主表示部材１２７に表示される。３０１は、現在のＷｉＦｉ機能の設定の表示である。３０２は、操作部材１２４により３０２または３０３を選択することでＷｉＦｉ機能の設定を切り換えるための表示である。３０４は、ＷｉＦｉ機能の設定を切り替えた後の表示である。
【００３３】
図２の説明に戻る。ステップＳ２０２では、マイクロコンピュータ１２３は通信インタフェース１１７によりＷｉＦｉ論理接続が開始されているかを判定し、ステップＳ２０３、Ｓ２１２へ進む。ステップＳ２０２までは、撮像装置１００はＷｉＦｉ論理接続が開始されていないため、通信インタフェース１１７によるＷｉＦｉ接続、または、通信インタフェース１１８によるＵＳＢ接続が可能となる。これにより、ユーザーが意図する通信機能を使用することができる。
【００３４】
ステップＳ２０３では、通信インタフェース１１７により、ＷｉＦｉ論理接続が開始されているため、マイクロコンピュータ１２３は通信インタフェース１１８によるＵＳＢ論理接続を禁止する処理を行い、ステップＳ２０４へ進む。以降、撮像装置１００は通信インタフェース１１８を介してＵＳＢ論理接続を行うことができないため、ユーザーが意図する通信機能を使用することができる。
【００３５】
ステップＳ２０４では、マイクロコンピュータ１２３は通信インタフェース１１７によるＷｉＦｉ論理接続を行う処理を行い、ステップＳ２０５へ進む。ステップＳ２０５では、撮像装置１００は、外部通信機器１３７は通信インタフェース１１７を介してＷｉＦｉ論理接続を確立し、撮像装置１００の制御が可能となる。
【００３６】
ステップＳ２０６では、マイクロコンピュータ１２３はＷｉＦｉ論理接続が切断しているかを判定し、ステップＳ２０５、Ｓ２０７へ進む。ステップＳ２０７では、マイクロコンピュータ１２３は通信インタフェース１１７によるＷｉＦｉ論理接続を切断する処理を行い、ステップＳ２０８へ進む。ステップＳ２０８では、通信インタフェース１１７により、ＷｉＦｉ論理接続が切断されているため、マイクロコンピュータ１２３は通信インタフェース１１８によるＵＳＢ論理接続の禁止を解除する処理を行い、ステップＳ２２０へ進む。
【００３７】
ステップＳ２１２では、マイクロコンピュータ１２３は通信インタフェース１１８によりＵＳＢ論理接続が開始されているかを判定し、ステップＳ２１３、Ｓ２２０へ進む。ステップＳ２１２までは、撮像装置１００はＵＳＢ論理接続が開始されていないため、通信インタフェース１１７によるＷｉＦｉ接続、または、通信インタフェース１１８によるＵＳＢ接続が可能となる。これにより、ユーザーが意図する通信機能を使用することができる。
【００３８】
ステップＳ２１３では、通信インタフェース１１８により、ＵＳＢ論理接続が開始されているため、マイクロコンピュータ１２３は通信インタフェース１１７によるＷｉＦｉ論理接続を禁止する処理を行い、ステップＳ２１４へ進む。以降、撮像装置１００は通信インタフェース１１７を介してＷｉＦｉ論理接続を行うことができないため、ユーザーが意図する通信機能を使用することができる。
【００３９】
ここで、図３（ｂ）は、本実施形態に係るユーザーインタフェースの一例を示す図であり、主表示部材１２７に表示される。３１０はＷｉＦｉ論理接続を禁止している状態を示す図である。マイクロコンピュータ１２３は、操作部材１２４による操作を受け付けないように制御を行う。
【００４０】
図２の説明に戻る。ステップＳ２１４では、マイクロコンピュータ１２３は通信インタフェース１１８によるＵＳＢ論理接続を行う処理を行い、ステップＳ２１５へ進む。
ステップＳ２１５では、撮像装置１００は、外部通信機器１３８は通信インタフェース１１８を介してＵＳＢ論理接続を確立し、撮像装置１００の制御が可能となる。
【００４１】
ステップＳ２１６では、マイクロコンピュータ１２３はＵＳＢ論理接続が切断しているかを判定し、ステップＳ２１５、Ｓ２１７へ進む。ステップＳ２１７では、マイクロコンピュータ１２３は通信インタフェース１１８によるＵＳＢ論理接続を切断する処理を行い、ステップＳ２１８へ進む。ステップＳ２１８では、通信インタフェース１１８により、ＵＳＢ論理接続が切断されているため、マイクロコンピュータ１２３は通信インタフェース１１７によるＷｉＦｉ論理接続の禁止を解除する処理を行い、ステップＳ２２０へ進む。
ステップＳ２２０で撮像装置１００は外部通信機器１３７、１３８と接続処理を終了する。
【００４２】
以上の実施形態では、ＷｉＦｉ接続とＵＳＢ接続が可能な撮像装置１００において、ＷｉＦｉ機能を使用するか否かではなく、論理接続の有無を判定することで、ユーザーが意図する通信機能を使用することを可能にした通信装置を提供することができる。
【００４３】
＜実施例２＞
以下、本発明の第２の実施例について説明する。本実施例では、第１の実施例と同様の構成を有する。図４を参照して、本実施例に係る撮像装置１００と外部通信機器１３７、１３８との接続のフローチャートについて説明する。なお、前述の実施例と同一の処理を行うステップにおいては、同一の符号を付して説明を省略する。
【００４４】
ステップＳ２０２では、マイクロコンピュータ１２３は通信インタフェース１１７によりＷｉＦｉ論理接続が開始されているかを判定し、ステップＳ２０３、Ｓ４０１へ進む。ステップＳ４０１では、マイクロコンピュータ１２３は通信インタフェース１１７によりＷｉＦｉ論理接続を行うための設定が不揮発メモリ１３０に保存されているかを判定し、ステップＳ２１２、Ｓ２０３へ進む。撮像装置１００はＷｉＦｉ論理接続が開始されていないが、ＷｉＦｉ論理接続を行うための設定が不揮発メモリ１３０に保存されているときは、通信インタフェース１１７によるＷｉＦｉ接続を行うことで、ユーザーが意図する通信機能を使用することができる。
【００４５】
以上の実施形態では、ＷｉＦｉ接続とＵＳＢ接続が可能な撮像装置１００において、ＷｉＦｉ論理接続を行うための設定値の有無を判定した後、論理接続の有無を判定することで、ユーザーが意図する通信機能を使用することを可能にした通信装置を提供することができる。
【００４６】
＜実施例３＞
以下、本発明の第３の実施例について説明する。図５（ａ）は本実施例に係るシステムの構成例を示す図である。本実施形態における撮像装置１００と外部通信機器１３７は通信インタフェース１１７を介して、Ｂｌｕｅｔｏｏｔｈにより無線通信で接続するものとする。撮像装置１００と外部通信機器１３８は通信インタフェース１１８を介して、ＵＳＢにより有線通信で接続するものとする。
【００４７】
図５（ｂ）を参照して、本実施例に係る撮像装置１００と外部通信機器１３７、１３８との接続のフローチャートについて説明する。なお、前述の実施例と同一の処理を行うステップにおいては、同一の符号を付して説明を省略する。
【００４８】
ステップＳ５０１では、マイクロコンピュータ１２３は操作部材１２４により、Ｂｌｕｅｔｏｏｔｈ機能を使用する設定が行われているかを判定し、Ｓ５０２、Ｓ２１２へ進む。ステップＳ５０２では、マイクロコンピュータ１２３は通信インタフェース１１７によりＢｌｕｅｔｏｏｔｈ論理接続が開始されているかを判定し、ステップＳ５０４、Ｓ２１２へ進む。
【００４９】
ステップＳ５０４では、マイクロコンピュータ１２３は通信インタフェース１１７によるＢｌｕｅｔｏｏｔｈ論理接続を行う処理を行い、ステップＳ５０５へ進む。ステップＳ５０５では、撮像装置１００は、外部通信機器１３７は通信インタフェース１１７を介してＢｌｕｅｔｏｏｔｈ論理接続を確立し、撮像装置１００の制御が可能となる。
【００５０】
ステップＳ５０８では、マイクロコンピュータ１２３は通信インタフェース１１８によりＵＳＢ論理接続が開始されているかを判定し、ステップＳ５０６、Ｓ５０７へ進む。撮像装置１００はＢｌｕｅｔｏｏｔｈ論理接続中でもＵＳＢ論理接続が開始されているかを判定するため、通信インタフェース１１８によるＵＳＢ接続が可能となる。これにより、ユーザーが意図する通信機能を使用することができる。
【００５１】
ステップＳ５０６では、マイクロコンピュータ１２３はＢｌｕｅｔｏｏｔｈ論理接続が切断しているかを判定し、ステップＳ５０５、Ｓ５０７へ進む。ステップＳ５０７では、マイクロコンピュータ１２３は通信インタフェース１１７によるＢｌｕｅｔｏｏｔｈ論理接続を切断する処理を行い、ステップＳ２２０へ進む。
【００５２】
ステップＳ５１３では、通信インタフェース１１８により、ＵＳＢ論理接続が開始されているため、マイクロコンピュータ１２３は通信インタフェース１１７によるＢｌｕｅｔｏｏｔｈ論理接続を禁止する処理を行い、ステップＳ２１４へ進む。以降、撮像装置１００は通信インタフェース１１７を介してＢｌｕｅｔｏｏｔｈ論理接続を行うことができないため、ユーザーが意図する通信機能を使用することができる。
【００５３】
ステップＳ５１８では、通信インタフェース１１８により、ＵＳＢ論理接続が切断されているため、マイクロコンピュータ１２３は通信インタフェース１１７によるＢｌｕｅｔｏｏｔｈ論理接続の禁止を解除する処理を行い、ステップＳ２２０へ進む。
【００５４】
以上の実施形態では、Ｂｌｕｅｔｏｏｔｈ接続とＵＳＢ接続が可能な撮像装置１００において、Ｂｌｕｅｔｏｏｔｈ機能を使用するか否かではなく、論理接続の有無を判定することで、ユーザーが意図する通信機能を使用することを可能にした通信装置を提供することができる。
【００５５】
＜実施例４＞
以下、本発明の第４の実施例について説明する。本実施例では、第３の実施例と同様の構成を有する。図６を参照して、本実施例に係る撮像装置１００と外部通信機器１３７、１３８との接続のフローチャートについて説明する。なお、前述の実施例と同一の処理を行うステップにおいては、同一の符号を付して説明を省略する。
【００５６】
ステップＳ５０２では、マイクロコンピュータ１２３は通信インタフェース１１７によりＢｌｕｅｔｏｏｔｈ論理接続が開始されているかを判定し、ステップＳ５０４、Ｓ６０１へ進む。ステップＳ６０１では、マイクロコンピュータ１２３は通信インタフェース１１７によりＢｌｕｅｔｏｏｔｈ論理接続を行うための設定が不揮発メモリ１３０に保存されているかを判定し、ステップＳ２１２、Ｓ５０４へ進む。撮像装置１００はＢｌｕｅｔｏｏｔｈ論理接続が開始されていないが、Ｂｌｕｅｔｏｏｔｈ論理接続を行うための設定が不揮発メモリ１３０に保存されているときは、通信インタフェース１１７によるＢｌｕｅｔｏｏｔｈ接続を行うことで、ユーザーが意図する通信機能を使用することができる。
【００５７】
以上の実施形態では、Ｂｌｕｅｔｏｏｔｈ接続とＵＳＢ接続が可能な撮像装置１００において、Ｂｌｕｅｔｏｏｔｈ論理接続を行うための設定値の有無を判定した後、論理接続の有無を判定することで、ユーザーが意図する通信機能を使用することを可能にした通信装置を提供することができる。
【００５８】
＜実施例５＞
以下、本発明の第５の実施例について説明する。図７（ａ）は本実施例に係るシステムの構成例を示す図である。本実施形態における撮像装置１００と外部通信機器１３７は通信インタフェース１１７を介して、ＷｉＦｉにより無線通信で接続するものとする。撮像装置１００と外部表示機器１３９は通信インタフェース１２９を介して、ＨＤＭＩ（登録商標）により有線通信で接続するものとする。
【００５９】
図７（ｂ）を参照して、本実施例に係る撮像装置１００と外部通信機器１３７、外部表示機器１３９との接続のフローチャートについて説明する。なお、前述の実施例と同一の処理を行うステップにおいては、同一の符号を付して説明を省略する。ステップＳ２００で撮像装置１００は外部通信機器１３７、外部表示機器１３９と接続処理を開始する。
【００６０】
ステップＳ２０２では、マイクロコンピュータ１２３は通信インタフェース１１７によりＷｉＦｉ論理接続が開始されているかを判定し、ステップＳ２０３、Ｓ７１２へ進む。ステップＳ２０２までは、撮像装置１００はＷｉＦｉ論理接続が開始されていないため、通信インタフェース１１７によるＷｉＦｉ接続、または、通信インタフェース１２９によるＨＤＭＩ接続が可能となる。これにより、ユーザーが意図する通信機能を使用することができる。
【００６１】
ステップＳ７０３では、通信インタフェース１１７により、ＷｉＦｉ論理接続が開始されているため、マイクロコンピュータ１２３は通信インタフェース１２９によるＨＤＭＩ論理接続を禁止する処理を行い、ステップＳ２０４へ進む。以降、撮像装置１００は通信インタフェース１２９を介してＨＤＭＩ論理接続を行うことができないため、ユーザーが意図する通信機能を使用することができる。
【００６２】
ステップＳ５０８では、通信インタフェース１１７により、ＷｉＦｉ論理接続が切断されているため、マイクロコンピュータ１２３は通信インタフェース１２９によるＨＤＭＩ論理接続の禁止を解除する処理を行い、ステップＳ２２０へ進む。ステップＳ５１２では、マイクロコンピュータ１２３は通信インタフェース１２９によりＨＤＭＩ論理接続が開始されているかを判定し、ステップＳ２１３、Ｓ２２０へ進む。ステップＳ７１２までは、撮像装置１００はＨＤＭＩ論理接続が開始されていないため、通信インタフェース１１７によるＷｉＦｉ接続、または、通信インタフェース１２９によるＨＤＭＩ接続が可能となる。これにより、ユーザーが意図する通信機能を使用することができる。
【００６３】
ステップＳ７１４では、マイクロコンピュータ１２３は通信インタフェース１２９によるＨＤＭＩ論理接続を行う処理を行い、ステップＳ７１５へ進む。ステップＳ７１５では、撮像装置１００は、外部表示機器１３９は通信インタフェース１２９を介してＨＤＭＩ論理接続を確立し、撮像装置１００の表示が可能となる。ステップＳ７１６では、マイクロコンピュータ１２３はＨＤＭＩ論理接続が切断しているかを判定し、ステップＳ７１５、Ｓ７１７へ進む。
【００６４】
ステップＳ７１７では、マイクロコンピュータ１２３は通信インタフェース１２９によるＨＤＭＩ論理接続を切断する処理を行い、ステップＳ２１８へ進む。ステップＳ２２０で撮像装置１００は外部通信機器１３７、外部表示機器１３９と接続処理を終了する。
【００６５】
以上の実施形態では、ＷｉＦｉ接続とＨＤＭＩ接続が可能な撮像装置１００において、ＷｉＦｉ機能を使用するか否かではなく、論理接続の有無を判定することで、ユーザーが意図する通信機能を使用することを可能にした通信装置を提供することができる。
【００６６】
＜実施例６＞
以下、本発明の第６の実施例について説明する。本実施例では、第５の実施例と同様の構成を有する。図８を参照して、本実施例に係る撮像装置１００と外部通信機器１３７、外部表示機器１３９との接続のフローチャートについて説明する。
【００６７】
なお、前述の実施例と同一の処理を行うステップにおいては、同一の符号を付して説明を省略する。ステップＳ４０１では、マイクロコンピュータ１２３は通信インタフェース１１７によりＷｉＦｉ論理接続を行うための設定が不揮発メモリ１３０に保存されているかを判定し、ステップＳ７１２、Ｓ２０３へ進む。撮像装置１００はＷｉＦｉ論理接続が開始されていないが、ＷｉＦｉ論理接続を行うための設定が不揮発メモリ１３０に保存されているときは、通信インタフェース１１７によるＷｉＦｉ接続を行うことで、ユーザーが意図する通信機能を使用することができる。
【００６８】
以上の実施形態では、ＷｉＦｉ接続とＨＤＭＩ接続が可能な撮像装置１００において、ＷｉＦｉ論理接続を行うための設定値の有無を判定した後、論理接続の有無を判定することで、ユーザーが意図する通信機能を使用することを可能にした通信装置を提供することができる。
【００６９】
＜実施例７＞
以下、本発明の第７の実施例について説明する。図９（ａ）は本実施例に係るシステムの構成例を示す図である。本実施形態における撮像装置１００と外部通信機器１３７は通信インタフェース１１７を介して、Ｂｌｕｅｔｏｏｔｈにより無線通信で接続するものとする。撮像装置１００と外部表示機器１３９は通信インタフェース１２９を介して、ＨＤＭＩにより有線通信で接続するものとする。
【００７０】
図９（ｂ）を参照して、本実施例に係る撮像装置１００と外部通信機器１３７、外部表示機器１３９との接続のフローチャートについて説明する。なお、前述の実施例と同一の処理を行うステップにおいては、同一の符号を付して説明を省略する。
【００７１】
ステップＳ９０８では、マイクロコンピュータ１２３は通信インタフェース１２９によりＨＤＭＩ論理接続が開始されているかを判定し、ステップＳ５０６、Ｓ５０７へ進む。撮像装置１００はＢｌｕｅｔｏｏｔｈ論理接続中でもＨＤＭＩ論理接続が開始されているかを判定するため、通信インタフェース１２９によるＨＤＭＩ接続が可能となる。これにより、ユーザーが意図する通信機能を使用することができる。
【００７２】
ステップＳ５１３では、通信インタフェース１２９により、ＨＤＭＩ論理接続が開始されているため、マイクロコンピュータ１２３は通信インタフェース１１７によるＢｌｕｅｔｏｏｔｈ論理接続を禁止する処理を行い、ステップＳ７１４へ進む。以降、撮像装置１００は通信インタフェース１１７を介してＢｌｕｅｔｏｏｔｈ論理接続を行うことができないため、ユーザーが意図する通信機能を使用することができる。
【００７３】
以上の実施形態では、Ｂｌｕｅｔｏｏｔｈ接続とＨＤＭＩ接続が可能な撮像装置１００において、Ｂｌｕｅｔｏｏｔｈ機能を使用するか否かではなく、論理接続の有無を判定することで、ユーザーが意図する通信機能を使用することを可能にした通信装置を提供することができる。
【００７４】
＜実施例８＞
以下、本発明の第８の実施例について説明する。本実施例では、第７の実施例と同様の構成を有する。図１０を参照して、本実施例に係る撮像装置１００と外部通信機器１３７、外部表示機器１３９との接続のフローチャートについて説明する。なお、前述の実施例と同一の処理を行うステップにおいては、同一の符号を付して説明を省略する。
【００７５】
ステップＳ６０１では、マイクロコンピュータ１２３は通信インタフェース１１７によりＢｌｕｅｔｏｏｔｈ論理接続を行うための設定が不揮発メモリ１３０に保存されているかを判定し、ステップＳ７１２、Ｓ５０４へ進む。撮像装置１００はＢｌｕｅｔｏｏｔｈ論理接続が開始されていないが、Ｂｌｕｅｔｏｏｔｈ論理接続を行うための設定が不揮発メモリ１３０に保存されているときは、通信インタフェース１１７によるＢｌｕｅｔｏｏｔｈ接続を行うことで、ユーザーが意図する通信機能を使用することができる。
【００７６】
以上の実施形態では、Ｂｌｕｅｔｏｏｔｈ接続とＨＤＭＩ接続が可能な撮像装置１００において、Ｂｌｕｅｔｏｏｔｈ論理接続を行うための設定値の有無を判定した後、論理接続の有無を判定することで、ユーザーが意図する通信機能を使用することを可能にした通信装置を提供することができる。
【００７７】
以上、本発明の好ましい実施形態について説明したが、本発明はこれらの実施形態に限定されず、その要旨の範囲内で種々の変形及び変更が可能である。
【符号の説明】
【００７８】
１００  撮像装置、１２３  マイクロコンピュータ、
１１７，１１８，１１９  通信インタフェース、１３７，１３８  外部通信機器、
１３９  外部表示機器
【図１】
2017085212.tif 000003
【図２】
2017085212.tif 000004
【図３】
2017085212.tif 000005
【図４】
2017085212.tif 000006
【図５】
2017085212.tif 000007
【図６】
2017085212.tif 000008
【図７】
2017085212.tif 000009
【図８】
2017085212.tif 000010
【図９】
2017085212.tif 000011
【図１０】
2017085212.tif 000012